(57)【要約】【課題】画像記録媒体を高精度に位置決め保持することができるとともに、容易に着脱することのできる画像記録媒体保持機構を提供する。【解決手段】蓄積性蛍光体シートＩＰの側部に固定された係合部材５４ａ〜５４ｄの凹部６０に対してベアリング部材１１０ａ〜１１０ｄを係合した後、板ばね部材６４ａ〜６４ｄの押さえ部７０によって凹部６０の開口部５８を閉塞状態とすることにより、蓄積性蛍光体シートＩＰをベアリング部材１１０ａ〜１１０ｄに保持させる。【選択図】図５
2005077618.tif 000002
【特許請求の範囲】
【請求項１】
画像処理装置に着脱可能な状態で収納保持される画像記録媒体の保持機構において、
前記画像記録媒体の側部に固定される凹部を有する係合部材と、
前記凹部の開口部から前記凹部に係合し、前記画像記録媒体を前記画像処理装置に対して保持する保持部材と、
前記開口部の閉塞位置と開放位置との間で進退可能な弾性部材と、
を備え、前記保持部材は、前記閉塞位置に配設された前記弾性部材の弾発力によって前記凹部に保持されることを特徴とする画像記録媒体保持機構。
【請求項２】
請求項１記載の機構において、
前記弾性部材には、前記凹部に保持された前記保持部材が押圧されることによる変形量を規制する規制部材が配設されることを特徴とする画像記録媒体保持機構。
【発明の詳細な説明】
【技術分野】
【０００１】
本発明は、画像処理装置に着脱可能な状態で収納保持される画像記録媒体の保持機構に関する。
【背景技術】
【０００２】
例えば、撮影位置に配置された蓄積性蛍光体シートに被写体の放射線画像情報を記録した後、前記蓄積性蛍光体シートに対して主方向に励起光を照射するとともに、励起光の照射により蓄積性蛍光体シートから発せられる輝尽発光光を、主方向と略直交する方向に移動する読取部によって読み取るように構成した放射線画像情報記録読取装置が知られている（特許文献１参照）。
【０００３】
なお、蓄積性蛍光体シートとは、放射線（Ｘ線、α線、β線、γ線、電子線、紫外線等）を照射すると、その放射線エネルギの一部を蓄積し、後にレーザ光や可視光等の励起光を照射することで蓄積されたエネルギに応じた輝尽発光を示す蓄積性蛍光体を層状に塗布して構成されるシートである。
【０００４】
この場合、蓄積性蛍光体シートは、記録された放射線画像情報を消去することで同一のシートを繰り返し使用できることから、放射線画像情報記録読取装置内に蓄積性蛍光体シートを予め固定状態で収納している。
【０００５】
【特許文献１】特開２００３−１６３０９２号公報
【発明の開示】
【発明が解決しようとする課題】
【０００６】
ところで、蓄積性蛍光体シートは、再利用可能とは言っても、度重なる撮影や経時的変化によって感度が変動するため、交換作業が必要である。また、撮影目的や撮影部位等に応じて、特性の異なる蓄積性蛍光体シートへの交換が要求されることも考えられる。
【０００７】
この場合、従来の放射線画像情報記録読取装置では、蓄積性蛍光体シートの交換の頻度がさほど多くないことから、螺子部材を用いて蓄積性蛍光体シートを装置内の保持部材に固定し、必要に応じてこの螺子部材を取り外して蓄積性蛍光体シートを交換している。
【０００８】
しかしながら、蓄積性蛍光体シートを螺子部材を用いて保持部材に固定した場合、例えば、放射線画像情報記録読取装置内の温度変動に伴って構成部材が膨張又は収縮するため、蓄積性蛍光体シートがその影響を受けて変形し、放射線画像情報を高精度に記録し、あるいは、読み取ることができなくなるおそれがある。
【０００９】
また、蓄積性蛍光体シートは、比較的重量があるため、螺子部材を取り外した際に誤って落としてしまい、破損させてしまうおそれがある。
【００１０】
本発明は、前記の課題を解決するためになされたものであり、画像記録媒体を高精度に位置決め保持することができるとともに、容易に着脱することのできる画像記録媒体保持機構を提供することを目的とする。
【課題を解決するための手段】
【００１１】
本発明は、画像処理装置に着脱可能な状態で収納保持される画像記録媒体の保持機構において、
前記画像記録媒体の側部に固定される凹部を有する係合部材と、
前記凹部の開口部から前記凹部に係合し、前記画像記録媒体を前記画像処理装置に対して保持する保持部材と、
前記開口部の閉塞位置と開放位置との間で進退可能な弾性部材と、
を備え、前記保持部材は、前記閉塞位置に配設された前記弾性部材の弾発力によって前記凹部に保持されることを特徴とする。
【００１２】
この場合、保持部材は、画像記録媒体の側部に固定された係合部材の凹部に係合し、弾性部材によって保持されるため、例えば、温度変動によって画像処理装置の構成部材が膨張又は収縮することがあっても、その影響が弾性部材や保持部材の変位によって吸収されるため、画像記録媒体が変形することがない。
【００１３】
なお、弾性部材の変形量を規制する規制部材を配設することにより、弾性部材の過剰な変形を抑制し、画像記録媒体を保持部材に対して確実に保持させることができる。
【発明の効果】
【００１４】
本発明の画像記録媒体保持機構によれば、画像記録媒体を高精度に位置決め保持することができるとともに、着脱作業が極めて容易な画像記録媒体保持機構を得ることができる。
【発明を実施するための最良の形態】
【００１５】
図１は、本発明の画像記録媒体保持機構が適用される放射線画像情報記録読取装置２０の概略構成を示す。放射線画像情報記録読取装置２０は、支持台２２に立設された支柱２４と、支柱２４に昇降可能な状態で支持される本体部２６とを備える。
【００１６】
本体部２６を構成する筐体２８の前部は、被写体３０が位置決めされる撮影台３２となる。撮影台３２には、放射線源３４から被写体３０を介して照射されるＸ線の線量を計測して照射量を制御するフォトタイマ３６と、散乱線除去用のグリッド３８とが配設される。
【００１７】
本体部２６の内部には、撮影台３２に対して近接する画像記録位置（実線）と、撮影台３２から離間する画像読取位置（二点鎖線）との間で矢印方向に移動可能な蓄積性蛍光体シートＩＰが配設される。なお、蓄積性蛍光体シートＩＰとは、放射線（Ｘ線、α線、β線、γ線、電子線、紫外線等）を照射すると、その放射線エネルギの一部を蓄積し、後にレーザ光や可視光等の励起光を照射することで蓄積されたエネルギに応じた輝尽発光を示す蓄積性蛍光体層を有するシートである。
【００１８】
また、本体部２６の内部には、二点鎖線で示す位置に配置された蓄積性蛍光体シートＩＰの前面に沿って上下方向に移動する読取消去ユニット４０が配設される。読取消去ユニット４０は、蓄積性蛍光体シートＩＰに対して励起光Ｌを照射し、蓄積された放射線エネルギの強度に応じて出力される輝尽発光光Ｐを光電的に読み取る読取部４２と、放射線画像情報の読み取られた蓄積性蛍光体シートＩＰに対して消去光を照射し、残存する放射線エネルギを除去する消去部４４とから構成される。
【００１９】
読取部４２は、励起光Ｌを出力する複数のレーザダイオード４１ａ〜４１ｘと、蓄積性蛍光体シートＩＰから得られた輝尽発光光Ｐを電気信号に変換する複数のＣＣＤラインセンサ４３ａ〜４３ｅとを備える。消去部４４は、消去光を出力する複数の冷陰極管４５ａ〜４５ｍを備える。
【００２０】
読取消去ユニット４０は、図１の矢印で示す移動方向（副方向）と直交する方向（主方向）に長尺に構成される。読取部４２に収納されるレーザダイオード４１ａ〜４１ｘは、読取部４２にライン状の励起光Ｌを照射すべく、読取部４２の長手方向に沿って所定間隔に配列される。また、レーザダイオード４１ａ〜４１ｘの下部及び上部には、３本のＣＣＤラインセンサ４３ａ、４３ｃ及び４３ｅと、２本のＣＣＤラインセンサ４３ｂ及び４３ｄとが千鳥状に配列される。
【００２１】
図２は、蓄積性蛍光体シートＩＰを図１の実線で示す画像記録位置に配置した状態を示し、図３は、蓄積性蛍光体シートＩＰを図１の二点鎖線で示す画像読取位置に配置した状態を示す。読取部４２の長手方向の両側部には、ブラケット５０ａ、５０ｂが配設されており、これらのブラケット５０ａ、５０ｂは、蓄積性蛍光体シートＩＰの両側部に沿って上下方向に延在するガイドレール４９ａ、４９ｂに係合する。また、ガイドレール４９ａ、４９ｂに沿って搬送ベルト４６ａ、４６ｂが配設されており、これらの搬送ベルト４６ａ、４６ｂには、消去部４４の両側部に配設されたブラケット４７ａ、４７ｂが係合する。搬送ベルト４６ａ、４６ｂは、本体部２６の略中央部に配設される読取消去ユニット移動モータ４８（図１）により駆動され、読取消去ユニット４０をガイドレール４９ａ、４９ｂに沿って上下方向に移動する。
【００２２】
図４は、蓄積性蛍光体シートＩＰの構成と、蓄積性蛍光体シートＩＰを移動させる移動機構５１の構成とを示す。また、図５は、移動機構５１に蓄積性蛍光体シートＩＰを保持する保持機構の分解斜視図を示す。
【００２３】
蓄積性蛍光体シートＩＰは、本体部２６に立設状態で収納保持される矩形状のシートであり、その画像記録面５２には、蓄積性蛍光体層が形成されている。蓄積性蛍光体シートＩＰの上部両側部及び下部両側部には、保持機構を構成する係合部材５４ａ〜５４ｄが螺子部材５６により固定される。係合部材５４ａ〜５４ｄには、蓄積性蛍光体シートＩＰの画像記録面５２と反対側の面に開口部５８を有する半円状の凹部６０が形成される。
【００２４】
各係合部材５４ａ〜５４ｄの上部には、段部６２ａ〜６２ｄが形成され、各段部６２ａ〜６２ｄには、板ばね部材６４ａ〜６４ｄ（弾性部材）及び板ばね部材ホルダ６６ａ〜６６ｄが、螺子部材６７によって蓄積性蛍光体シートＩＰに固定されたスペーサ６８ａ〜６８ｄを介して装着される。板ばね部材６４ａ〜６４ｄは、押さえ部７０が下方向に延在して形成されており、図６に示す装着状態において、係合部材５４ａ〜５４ｄの凹部６０の開口部５８を閉塞する。板ばね部材ホルダ６６ａ〜６６ｄは、図６に示すように、板ばね部材６４ａ〜６４ｄの押さえ部７０に沿って下方向に延在する規制板７２（規制部材）を有する。規制板７２は、押さえ部７０の過剰な変形を規制する。板ばね部材６４ａ〜６４ｄ及び板ばね部材ホルダ６６ａ〜６６ｄは、螺子部材７４によって段部６２ａ〜６２ｄに固定される。
【００２５】
各係合部材５４ａ〜５４ｄの下部には、蓄積性蛍光体シートＩＰを読取位置に位置決めするための位置決め板７６ａ〜７６ｄが固定される。各位置決め板７６ａ〜７６ｄは、図４に示すように、本体部２６のフレーム８０ａ、８０ｂに設けられた位置決めローラ８２ａ〜８２ｄに当接することにより、蓄積性蛍光体シートＩＰを読取位置に位置決めする。また、蓄積性蛍光体シートＩＰの両側部の中央部には、作業者が蓄積性蛍光体シートＩＰを把持するための切り欠き部８４ａ、８４ｂが形成される。
【００２６】
一方、蓄積性蛍光体シートＩＰの移動機構５１は、ＩＰ移動モータ８６を有する。ＩＰ移動モータ８６の駆動軸８８には、ベルト９０を介して上部駆動シャフト９２が連結され、上部駆動シャフト９２には、ベルト９３を介して下部従動シャフト９４が連結される。上部駆動シャフト９２及び下部従動シャフト９４の両端部には、駆動板９６ａ〜９６ｄの下端部が固定される。駆動板９６ａ〜９６ｄの上端部には、Ｌ字形状からなるリンク部材９８ａ〜９８ｄの中間部が軸支される。
【００２７】
リンク部材９８ａ〜９８ｄは、一端部にカムローラ１００ａ〜１００ｄが軸支される。各カムローラ１００ａ〜１００ｄは、ガイド板１０２ａ〜１０２ｄに形成され、本体部２６の上部から下部に向かって湾曲するカム溝１０４ａ〜１０４ｄに係合する。また、リンク部材９８ａ、９８ｂの他端部と、リンク部材９８ｃ、９８ｄの他端部とは、それぞれ蓄積性蛍光体シートＩＰの背面部を支持する支持シャフト１０６ａ、１０６ｂによって連結される。支持シャフト１０６ａ、１０６ｂの両端部には、スプリング１０８ａ〜１０８ｄを介してベアリング部材１１０ａ〜１１０ｄ（保持部材）が図５の矢印方向に変位可能な状態で係合する。これらのベアリング部材１１０ａ〜１１０ｄは、フランジ部１１１を有し、図６に示すように、蓄積性蛍光体シートＩＰの係合部材５４ａ〜５４ｄに係合する。係合部材５４ａ〜５４ｄに係合したベアリング部材１１０ａ〜１１０ｄは、板ばね部材６４ａ〜６４ｄの押さえ部７０によって係合部材５４ａ〜５４ｄに保持され、これによって蓄積性蛍光体シートＩＰが移動機構５１に連結支持される。
【００２８】
本実施形態の放射線画像情報記録読取装置２０は、基本的には以上のように構成されるものであり、次のその動作及び作用効果について説明する。
【００２９】
先ず、蓄積性蛍光体シートＩＰに対して放射線画像情報を記録する場合について説明する。この場合、読取消去ユニット４０は、図１に示す下端位置に待機し、蓄積性蛍光体シートＩＰは、移動機構５１によって図２に示す記録位置に移動される。
【００３０】
すなわち、ＩＰ移動モータ８６が駆動されると、ベルト９０及び９３を介して上部駆動シャフト９２及び下部従動シャフト９４が回転し、両端部に一端部が固定された駆動板９６ａ〜９６ｄが図３に示す矢印Ａ方向に回転する。駆動板９６ａ〜９６ｄの回転に伴い、駆動板９６ａ〜９６ｄの他端部に軸支されたリンク部材９８ａ〜９８ｄのカムローラ１００ａ〜１００ｄがガイド板１０２ａ〜１０２ｄのカム溝１０４ａ〜１０４ｄに沿って移動する。従って、リンク部材９８ａ〜９８ｄに連結されたベアリング部材１１０ａ〜１１０ｄが撮影台３２側に移動する。この場合、ベアリング部材１１０ａ〜１１０ｄは、図６に示すように、蓄積性蛍光体シートＩＰに固定された係合部材５４ａ〜５４ｄの凹部６０に係合しており、蓄積性蛍光体シートＩＰを図２に示す記録位置まで移動させる。
【００３１】
蓄積性蛍光体シートＩＰが記録位置に配置された後、放射線画像情報の記録が開始される。
【００３２】
そこで、被写体３０の撮影部位に応じ、支柱２４に沿って本体部２６を上下動作させ、次いで、放射線源３４を起動し、Ｘ線を被写体３０に照射する。被写体３０を透過したＸ線は、フォトタイマ３６及びグリッド３８を介して蓄積性蛍光体シートＩＰに照射されることにより、被写体３０の放射線画像情報が蓄積性蛍光体シートＩＰに記録される。
【００３３】
ここで、蓄積性蛍光体シートＩＰは、図６に示すように、ベアリング部材１１０ａ〜１１０ｄが係合部材５４ａ〜５４ｄに係合し、板ばね部材６４ａ〜６４ｄの押さえ部７０によって保持されている。この場合、押さえ部７０は、弾性力によってベアリング部材１１０ａ〜１１０ｄを係合部材５４ａ〜５４ｄに押圧しているだけであり、また、ベアリング部材１１０ａ〜１１０ｄは、スプリング１０８ａ〜１０８ｄによって支持シャフト１０６ａ、１０６ｂの軸線方向に移動可能である。従って、例えば、温度変化の影響によって蓄積性蛍光体シートＩＰや移動機構５１の構成部材が膨張や収縮した場合であっても、係合部材５４ａ〜５４ｄがリジッドな状態で固定されている訳ではないため、蓄積性蛍光体シートＩＰの画像記録面５２が変形して平面性が低下するような事態が生じることがない。この結果、蓄積性蛍光体シートＩＰには、放射線画像情報が高精度に記録される。
【００３４】
なお、ベアリング部材１１０ａ〜１１０ｄ及びベアリング部材１１０ａ〜１１０ｄが係合する係合部材５４ａ〜５４ｄを導電性材料で構成することにより、蓄積性蛍光体シートＩＰの静電気を係合部材５４ａ〜５４ｄからベアリング部材１１０ａ〜１１０ｄを介して外部に放電することができる。これにより、静電気による放射線画像情報に対するノイズの混入を回避し、放射線画像情報を一層高精度に記録することができる。
【００３５】
放射線画像情報が記録された後、蓄積性蛍光体シートＩＰは、移動機構５１によって記録位置から図３に示す読取位置まで移動される。すなわち、ＩＰ移動モータ８６が駆動され、駆動板９６ａ〜９６ｄが図２に示す矢印Ｂ方向に回転することにより、リンク部材９８ａ〜９８ｄがガイド板１０２ａ〜１０２ｄにガイドされて移動し、ベアリング部材１１０ａ〜１１０ｄとともに蓄積性蛍光体シートＩＰが読取位置まで移動する。
【００３６】
蓄積性蛍光体シートＩＰが読取位置まで移動すると、蓄積性蛍光体シートＩＰの両側部に固定されている位置決め板７６ａ〜７６ｄが位置決めローラ８２ａ〜８２ｄに当接し、これによって蓄積性蛍光体シートＩＰが読取位置に正確に位置決めされる。
【００３７】
ここで、移動機構５１のみによって蓄積性蛍光体シートＩＰを所望の読取位置に正確に移動させて位置決めすることは、極めて困難である。そこで、本実施形態では、蓄積性蛍光体シートＩＰを保持するベアリング部材１１０ａ〜１１０ｄを、板ばね部材６４ａ〜６４ｄの押さえ部７０によって係合部材５４ａ〜５４ｄに保持させている。この場合、ベアリング部材１１０ａ〜１１０ｄを読取位置に配置されている位置決めローラ８２ａ〜８２ｄよりも若干余分に変位させるように構成することで、図７に示すように、ベアリング部材１１０ａ〜１１０ｄが係合部材５４ａ〜５４ｄ内で変位して押さえ部７０を変形させる。その際、蓄積性蛍光体シートＩＰは、位置決め板７６ａ〜７６ｄが位置決めローラ８２ａ〜８２ｄに当接するため、ベアリング部材１１０ａ〜１１０ｄの移動によって変形されることなく、位置決めローラ８２ａ〜８２ｄで規定された所望の読取位置に正確に位置決めされる。
【００３８】
蓄積性蛍光体シートＩＰが読取位置に正確に配置された後、読取消去ユニット移動モータ４８が駆動され、搬送ベルト４６ａ、４６ｂにより読取消去ユニット４０が上昇し、読取部４２による放射線画像情報の読み取りが開始される。
【００３９】
そこで、読取部４２を構成するレーザダイオード４１ａ〜４１ｘから出力されたライン状の励起光Ｌが蓄積性蛍光体シートＩＰに照射され、蓄積性蛍光体シートＩＰから蓄積された放射線エネルギに応じた輝尽発光光Ｐが出力される。輝尽発光光Ｐは、ＣＣＤラインセンサ４３ａ〜４３ｅに導かれ、ＣＣＤラインセンサ４３ａ〜４３ｅは、導入された輝尽発光光Ｐを電気信号に変換する。この電気信号は、所定の信号処理が施された後、図示しない外部の画像処理装置に送信される。なお、読取部４２は、ガイドレール４９ａ、４９ｂに沿って上昇することで蓄積性蛍光体シートＩＰを走査し、全面に記録された放射線画像情報が二次元的に読み取られる。
【００４０】
この場合、蓄積性蛍光体シートＩＰは、板ばね部材６４ａ〜６４ｄの押さえ部７０を介してベアリング部材１１０ａ〜１１０ｄにより変形しない状態で保持されるとともに、位置決め板７６ａ〜７６ｄにより所望の読取位置に正確に位置決めされているため、放射線画像情報を高精度に読み取ることができる。
【００４１】
読取消去ユニット４０が上端位置まで移動し、読取部４２による蓄積性蛍光体シートＩＰからの放射線画像情報の読み取りが完了した後、読取消去ユニット４０が下降を開始し、消去部４４による消去処理が行われる。消去部４４は、冷陰極管４５ａ〜４５ｍから出力された消去光を蓄積性蛍光体シートＩＰに照射する。消去光が照射された蓄積性蛍光体シートＩＰからは、残存する放射線エネルギが放出される。この処理を読取消去ユニット４０が下端位置に移動するまで継続し、蓄積性蛍光体シートＩＰの全面の消去処理が完了する。
【００４２】
次に、蓄積性蛍光体シートＩＰの交換作業について説明する。
【００４３】
先ず、読取消去ユニット４０を図２に示す下端部に退避させた後、蓄積性蛍光体シートＩＰを記録位置に移動させる。次いで、板ばね部材６４ａ〜６４ｄ及び板ばね部材ホルダ６６ａ〜６６ｄを蓄積性蛍光体シートＩＰに固定している螺子部材７４を緩め、板ばね部材６４ａ〜６４ｄ及び板ばね部材ホルダ６６ａ〜６６ｄを図６に示す位置から上方に移動させる。この場合、板ばね部材６４ａ〜６４ｄの押さえ部７０がベアリング部材１１０ａ〜１１０ｄから離脱し、図８に示すように、蓄積性蛍光体シートＩＰを保持機構を構成するベアリング部材１１０ａ〜１１０ｄから取り外すことができる。
【００４４】
なお、板ばね部材６４ａ〜６４ｄ及び板ばね部材ホルダ６６ａ〜６６ｄを上方に移動させただけの状態では、ベアリング部材１１０ａ〜１１０ｄが係合部材５４ａ〜５４ｄの凹部６０に係合しているため、蓄積性蛍光体シートＩＰが依然としてベアリング部材１１０ａ〜１１０ｄに保持されている。従って、作業者は、その状態から蓄積性蛍光体シートＩＰを脱落することなく取り外すことができる。
【００４５】
新たな蓄積性蛍光体シートＩＰは、取り外した場合と略逆の作業によって移動機構５１に容易に装着することができる。すなわち、図４において、蓄積性蛍光体シートＩＰの一方の側部に配設された係合部材５４ａ及び５４ｃをベアリング部材１１０ａ及び１１０ｃに係合するとともにフランジ部１１１（図５）に押し付け、スプリング１０８ａ〜１０８ｄの弾発力に抗してベアリング部材１１０ａ及び１１０ｃをリンク部材９８ａ〜９８ｄ側に変位させた後、蓄積性蛍光体シートＩＰの他方の側部に配設された係合部材５４ｂ及び５４ｄをベアリング部材１１０ｂ及び１１０ｄに係合させることにより、蓄積性蛍光体シートＩＰが移動機構５１に装着される。次いで、板ばね部材ホルダ６６ａ〜６６ｄ及び板ばね部材６４ａ〜６４ｄを押し下げた後、螺子部材７４によって蓄積性蛍光体シートＩＰに固定することで、蓄積性蛍光体シートＩＰが移動機構５１に確実に連結される。
【図面の簡単な説明】
【００４６】
【図１】本発明の画像記録媒体保持機構が適用される放射線画像情報記録読取装置の概略構成図である。
【図２】図１に示す放射線画像情報記録読取装置において、蓄積性蛍光体シートを記録位置に配置した状態の斜視説明図である。
【図３】図１に示す放射線画像情報記録読取装置において、蓄積性蛍光体シートを読取位置に配置した状態の斜視説明図である。
【図４】図１に示す放射線画像情報記録読取装置に装着される蓄積性蛍光体シート及びその移動機構の斜視構成図である。
【図５】図１に示す放射線画像情報記録読取装置における蓄積性蛍光体シートの保持機構の斜視分解図である。
【図６】図１に示す放射線画像情報記録読取装置における保持機構によって蓄積性蛍光体シートを保持した状態の記録位置での側面説明図である。
【図７】図１に示す放射線画像情報記録読取装置における保持機構によって蓄積性蛍光体シートを保持した状態の読取位置での側面説明図である。
【図８】図１に示す放射線画像情報記録読取装置における保持機構から蓄積性蛍光体シートを離脱させた状態の側面説明図である。
【符号の説明】
【００４７】
２０…放射線画像情報記録読取装置  ２６…本体部
３０…被写体                      ４０…読取消去ユニット
５１…移動機構                    ５４ａ〜５４ｄ…係合部材
６４ａ〜６４ｄ…板ばね部材        ６６ａ〜６６ｄ…板ばね部材ホルダ
７０…押さえ部                    ７２…規制板
７６ａ〜７６ｄ…位置決め板        ８２ａ〜８２ｄ…位置決めローラ
ＩＰ…蓄積性蛍光体シート
【図１】
2005077618.tif 000003
【図２】
2005077618.tif 000004
【図３】
2005077618.tif 000005
【図４】
2005077618.tif 000006
【図５】
2005077618.tif 000007
【図６】
2005077618.tif 000008
【図７】
2005077618.tif 000009
【図８】
2005077618.tif 000010